(57)【要約】      （修正有）【課題】層状剥離による構成層のどのような分離も防ぐことができ、或いはこうした分離が直ぐに分かるような識別文書を提供する。【解決手段】２つの主表面Ｓ１、Ｓ２；Ｓ３、Ｓ４及び少なくとも１つの縁部を有し、少なくとも２つの構成層２０、２２；２４、２６を備えたセキュアな識別文書に関し、識別文書の少なくとも１つの縁部には、レーザビームを用いて縁部にエッチングされた書込データ２３、２７がマーキングされ、該書込データが構成層と重なり合い、構成層が不正層状剥離によって分離された場合、データの一部が層の各々上に留まるようになり、連続してマーキングされていない結果として、不正な組み合わせを検出する。【選択図】図２
2014205349.tif 000002
【特許請求の範囲】
【請求項１】
２つの主表面（Ｓ１、Ｓ２；Ｓ３、Ｓ４）及び少なくとも１つの縁部を有し、少なくとも２つの構成層（２０、２２；２４、２６；３２、３３、３４）を備えたセキュアな識別文書であって、
前記縁部は、<U>前記縁部の表面から材料を除去して</U>レーザビームを用いて前記縁部にエッチングされた書込データ（２３；２７；３１；３５）がマーキングされ、前記レーザビームを用いてエッチングされた書込データが、不正な層状剥離がなされた場合、その剥離されたことがわかるように前記少なくとも２つの構成層（２０、２２；２４、２６；３２、３３、３４）に渡って連続してマーキングされる、ことを特徴とするセキュアな識別文書。
【請求項２】
前記書込データが、個人化されたテキスト、ロゴ、線、又はバーコードである、請求項１に記載のセキュアな識別文書。
【請求項３】
前記構成層の各々が、紙又はポリカーボネート材料、或いは、ポリエチレンテレフタレート、ポリ塩化ビニル、アクリロニトリル・ブタジエン・スチレン（ＡＢＳ）、ポリウレタン（ＰＵ）、又はシリカベースのポリマーで作られる、請求項１<U>又は２</U>に記載のセキュアな識別文書。
【請求項４】
２つの主表面（Ｓ１、Ｓ２；Ｓ３、Ｓ４）及び少なくとも１つの縁部を有し、少なくとも２つの構成層（２０、２２；２４、２６；３２、３３、３４）を備えた識別文書をセキュアにする方法であって、
前記方法が、<U>前記縁部の表面から材料を除去して</U>レーザビームを用いて前記縁部をエッチングして、不正な層状剥離がなされた場合その剥離されたことがわかるように前記少なくとも２つの構成層に渡って連続して書込データ（２３；２７；３１；３５）をマーキングする段階を含む、ことを特徴とする方法。
【発明の詳細な説明】
【技術分野】
【０００１】
本発明は、全体的に、識別文書及びこのような識別文書を作成するための方法に関する
。より詳細には、本発明は、様々な要素を分離すること及び共に組み合わせるものである
不正操作を暴くことができるセキュアな識別文書並びにこのような文書を作成する方法に
関する。
【背景技術】
【０００２】
運転免許証、身分証明カード、会員カード、バッジ及び通行証、パスポート、ポイント
カード、銀行カード、マネーカード、多用途カード、及び他の有価証券などの識別文書、
並びに銀行券のようなセキュリティ文書が広く使用されている。これらのデータキャリア
の各々に関連した価値及び重要度の理由から、無許可の複製及び改竄並びに捏造が問題と
なることが多い。
【０００３】
従来技術の識別文書Ｃ１、Ｃ２が図１に断面図で図示されている。パスポート又はカー
ドもしくはトークンの形状を有することができるこうした文書は、少なくとも２つの構成
層１０，１２；１３、１５それぞれを含む。文書Ｃ１の第１の層１０又は文書Ｃ２の第１
の層１３は、マーキング１１又は１４を含む。これらのマーキング１１；１４は、限定で
はないが、名前、生年月日、住所、個人番号、署名、肖像写真、ホログラム、指紋、又は
虹彩スキャン、その他などの個人情報及びデータを含むことができる。文書Ｃ１の第２の
層１２、又は文書Ｃ２の第２の層１５は、限定ではないが、例えば非接触モジュールを含
むことができる。
【０００４】
図１に図示されている第３の文書Ｃ３は、偽造文書である。実際に、第３の文書Ｃ３は
２つの層を含む。第１の層１０は、文書Ｃ１の第１の層と同じであり、例えば、改竄され
たマーキング１１’を備えている。第２の層１５は、オリジナルのフォーマットの文書Ｃ
２の第２の層と同じである。この改竄は、２つの異なる識別文書を１つに組み合わせるも
のである。これは、例えば、文書Ｃ１、Ｃ２の構成層１０、１２、１３、１５を層状に剥
離し、次いで、異なる層１０及び１５の一部を再構築して新しい偽造文書Ｃ３を作成する
ことによって行うことができる。
【０００５】
このような行為がこれらの識別文書に実施されるのを防ぐために、様々なタイプのセキ
ュリティ機能が識別文書に付加されている。
【０００６】
セキュリティ機能を構成する１つの従来技術の方法は、様々なサイズの孔を有する穿孔
パターンを実施することを含む。穿孔パターンは、例えば写真とすることができる。各孔
は、文書の一部を越えて、すなわち１つ又はそれ以上の構成層を貫通して延び、各孔の深
さ及び／又は形状は、表示されるイメージに従って予め定められている。この場合、不正
行為を行う人が、層を取り外して、偽造文書でこれを再利用しようとする場合、異なる深
さ及び／又は異なる形状を各々有する幾つかの孔が直ぐに分かり、既存の孔を再利用する
ことにより別の偽造穿孔パターンを作ることが極めて難しくなる。
【０００７】
セキュリティ機能を構成する別の従来技術の方法は、構成層を強固に固着させて、層状
分離又は他の手段によるどのような分離も防ぐために、構成層のゾーン内に化学的及び機
械的な不正変更防止材料を使用するものである。これらのゾーンには、各構成層に多数の
孔が設けられており、該孔は、例えば、エポキシ接着剤、ＵＶ活性化接着剤、ベンゾ−シ
クロ−ブテン接着剤、ポリイミド接着剤、或いはプラスチックもしくは金属リベットで作
ることができる不正変更防止材料で充填される。この場合、構成層の全厚を貫通して形成
される不正変更防止リベットは、目でみることができ、これらの層の１つが再利用される
場合でも見えたままである。
【０００８】
しかしながら、これらの既存の方法の全ては、時間がかかり且つコストが増大する１つ
よりも多い付加的なステップを必要とする。
【０００９】
更に、これらの方法は、孔を有する再利用層を隠すためのカバー層を使用することを阻
止することができず、すなわちこの再利用層は、例えばモジュールを含むことができる。
こうしたカバー層は、偽造データで独自のものにすることができる。
【００１０】
以上を考慮すると、本発明により解決することを目的とする課題は、２つの主面と少な
くとも１つの縁部とを有し、少なくとも２つの構成層を備えたセキュアな識別文書であっ
て、該識別文書は、例えば層状剥離による構成層のどのような分離も防ぐことができ、或
いはこうした分離が直ぐに分かるような識別文書を提供することである。
【発明の概要】
【００１１】
この課題に対する本発明の解決策は、識別文書の縁部にはレーザビームを用いて縁部に
エッチングされた書込データがマーキングされ、該書込データが構成層と重なり合い、当
該文書の不正層状剥離を防ぐようにすることに関する。
【００１２】
従って、データは、該データが文書の縁部全体と重なり合い、該縁部が文書の少なくと
も２つの構成層によって形成されるように書き込まれる。その結果、構成層が例えば不正
層状剥離によって分離された場合、データの一部が層の各々上に留まるようになる。この
解決策では、層上に書き込まれたデータ間に差があり、各層のデータがもはや一貫してお
らず、連続してマーキングされていない結果として、不正な組み合わせが検出されること
になるので、層の不正層状剥離が直ぐに分かり、もはや層の１つを別の文書の別の層と組
み合わせることは可能ではない。
【００１３】
本発明の別の態様によれば、２つの主表面及び少なくとも１つの縁部を有し、少なくと
も２つの構成層を備えた識別文書をセキュアにする方法が提供される。本方法は、レーザ
ビームを用いて縁部をエッチングして、構成層と重なり合う書込データにし、不正層状剥
離を防ぐようにする段階を含むことを特徴とする。
【００１４】
本発明の他の態様及び利点は、本発明の原理を例証として示す添付図面を参照しながら
、以下の詳細な説明により明らかになるであろう。
【図面の簡単な説明】
【００１５】
【図１】上述の従来技術の２つの識別文書と、第３の偽造された識別文書との概略断面図である。
【図２】本発明による２つの識別文書と、不正が直ぐに分かる第３の偽造された識別文書との概略斜視図である。
【図３】図３Ａは本発明による識別文書のそれぞれの縁部の概略図である。図３Ｂは本発明に従って構成層がセキュアにされた偽造識別文書の概略図である。
【発明を実施するための形態】
【００１６】
本発明は、添付図面を参照するとより理解されるであろう。
【００１７】
以下では、身分証明（ＩＤ）カード及びこれを作成する方法の関連において、本発明の
実施形態を説明する。しかしながら、本発明は、限定ではないが、運転免許証、バッジ又
は通行証、パスポート、ポイントカード、会員カード、銀行カード、クレジットカード、
マネーカード、多用途カード、及び他のセキュリティ文書並びに一般的な手段によって容
易には模倣することができないようにして情報又はデータを備えることになる有価証券を
含む、あらゆるデータキャリアと共に使用することができる。
【００１８】
図２は、本発明による第１及び第２の識別文書Ｄ１、Ｄ２を示す。このような識別文書
は、少なくとも２つの構成層２０、２２、又は２４、２６を含み、これらは、例えば積層
法により共に組み立てられる。これらは、２つの外部主表面Ｓ１、Ｓ２、又はＳ３、Ｓ４
と、少なくとも１つの縁部Ｅ１、Ｅ２、又はＥ３、Ｅ４を有する。
【００１９】
少なくとも文書Ｄ１の第１の層２０の外部主表面Ｓ１又は文書Ｄ２の第１の層２４の外
部主表面Ｓ３は、マーキング２１又は２５を含む。これらのマーキング２１、２５は、限
定ではないが、名前、生年月日、住所、個人番号、署名、肖像写真、ホログラム、指紋、
又は虹彩スキャン、その他などの個人情報及びデータを含むことができる。文書Ｄ１の第
２の層２２又は文書Ｄ２の第２の層２６は、限定ではないが、例えば非接触モジュールを
含むことができる。
【００２０】
これらの文書の構成層のあらゆる分離を防ぐために、文書Ｄ１、Ｄ２の各々の４つの縁
部の少なくとも１つは、書込データ２３、２７でマーキングされる。これらのデータは、
限定ではないが、会社のロゴ、テキスト、線、バーコード、その他などの個人情報を含む
ことができる。縁部をマーキングするステップは、データが縁部全体の構成層と重なり合
い、連続するテキスト、ロゴ、線、又はバーコード、その他を描くようにして管理される
。従って、データの部分２３Ａ又は２７Ａは、第１の構成層２０又は２４上にマーキング
され、データの別の部分２３Ｂ、２７Ｂは、第２の構成層２２又は２６上にマーキングさ
れる。
【００２１】
図３Ａは、識別文書Ｄ４の縁部などを示している。この例示的な実施例において、文書
は、これらの構成層３２、３３、３４を含み、名前「ＳＥＴＥＣ」３１は、テキストが３
つの構成層全てと重なり合うようにして縁部上に書き込まれる。この場合、層３４は、名
前「ＳＥＴＥＣ」の中間部分３３１Ｂを含み、層３２は、名前「ＳＥＴＥＣ」の下側部分
３１を含む。
【００２２】
識別文書の少なくとも１つの縁部のマーキングの結果、２つのオリジナル文書Ｄ１、Ｄ
２の構成層を分離し、例えばＤ１の層２０及びＤ２の層２５など、これらの少なくとも２
つを組み立てて、偽造文書Ｄ３を作成するものである、あらゆる不正行為が、直ぐに分か
るようになる。実際、この場合には、偽造文書Ｄ３の第１の層２０の側部にマーキングさ
れたデータの部分２３Ａは、もはや第２の層２６の側部上にマーキングされたデータの部
分２７Ｂとは連続していない。
【００２３】
図３Ｂは、このような偽造文書Ｄ４の縁部を示し、ここではオリジナルの層３２は、別
の文書の層３５で置き換えられている。書込データはもはや連続してマーキングされてお
らず、完全に一貫性がなく、もはや読取り可能ではないように見える。従って、不正が直
ぐに分かることになる。
【００２４】
すなわち、縁部上のこのようなマーキングは、不正な層状剥離又は他の分割に抗した文
書の保護を強化する。これは、例えば、少なくともチップ及びアンテナを内部に収容する
非接触カード又はパスポートのデータページにおいて特に重要である。
【００２５】
マーキングステップは、例えば、当産業界でＤ２Ｔ２として一般的に呼ばれる昇華型印
刷などの印刷技術、又はレーザエッチングにより行うことができる。しかしながら、レー
ザエッチング又はレーザ彫刻は、破壊的で不可逆性の技術であり、物質を付加することに
基づく技術である印刷よりも複製又は改竄が難しいので、印刷と比べると、レーザエッチ
ングの実施形態のほうがより好ましい。研削又は研磨などの機械的処理法も用いることが
できるが、レーザを利用した技術ほど正確ではない。
【００２６】
レーザビームは、物質を除去又はエッチングするため、或いは、例えば燃焼させること
により物質を変化させるために用いることができる。何れの場合においても、データは不
可逆的な方法で書き込まれる。それでもなお、この技術は燃焼マークを残さないので、エ
ッチングがより好ましい。物質の除去において使用されるレーザは、限定ではないが、例
えばＵＶビームを用いたショートパルスレーザとすることができる。このようなレーザビ
ームは、材料が昇華されるほど非常に早く生じ、表面上に物質が残らず、極めて清浄なま
まである。マーキングステップの持続時間が極めて短いので、露出表面上の温度は上昇し
ない。このようなレーザビームは、パスポートのデータページ及びスマートカードの縁部
のマーキングにおいて正確且つ優れた結果を示した。更に、エッチングされたメーキング
が縁部から摩滅するのを保護するために、表面に対する色の変化の有無に関係なく、文書
の縁部のエッチング、すなわち縁部表面からの材料除去が必要とされる。マーキングステ
ップは、識別文書の製造を完了した後の最終段階で最終製品に施すのが有利である。その
結果として、マーキングステップは、製造業者、又は顧客、或いは第三者の会社の何れか
により行うことができる。
【００２７】
識別文書の縁部の厚みは様々であり、本質的にその構成層の数と厚みによって決まる。
一般に、識別文書の厚みは、２００μｍよりも大きい。識別文書の縁部は、エッチング、
すなわち物質除去、又はレーザビームでの構成層の物質の燃焼によりマーキングされる。
【００２８】
構成層は、レーザマーキング可能な物質で作られる。これらは、紙又はプラスチック材
料で作ることができる。プラスチック材料で作製される場合、材料は、カーボン粒子を有
するポリカーボネート（ＰＣ）のようなカード製造で一般的な材料とすることができる。
ここにおいてマーキングを作成するためにレーザビームのエネルギーを吸収できる限り、
ポリエチレンテレフタレート（ＰＥＴ）、ポリ塩化ビニル（ＰＶＣ）、アクリロニトリル
・ブタジエン・スチレン（ＡＢＳ）、ポリウレタン（ＰＵ）、又は登録商標「Ｔｅｓｌｉ
ｎ」により商業化されたシリカベースのポリマーなどの他の材料を用いることもできる。
【００２９】
従って、記載した実施形態により、識別文書のセキュリティを高め、分離された構成層
の再組み立てを阻止する。
【符号の説明】
【００３０】
３１  書込データ
３２  構成層
３３  構成層
３４  構成層
３５  構成層
【図１】
2014205349.tif 000003
【図２】
2014205349.tif 000004
【図３】
2014205349.tif 000005
【外国語明細書】
2014205349000001.pdf